(57)【特許請求の範囲】
【請求項１】
ハウジングと、
前記ハウジング内に収納される回路基板と、
前記ハウジング内に回転可能に設けられる第一リールと、
前記第一リールに巻き取られることができ、少なくとも一部が前記ハウジング内に収納されるフレキシブルディスプレイスクリーンと、
前記回路基板と前記フレキシブルディスプレイスクリーンを接続し、前記第一リールに巻き取られることができる接続線とを備え、
前記接続線における前記フレキシブルディスプレイスクリーンに接続された部分に、接続部が形成され、
前記フレキシブルディスプレイスクリーンが前記ハウジング外に完全に巻き出された場合、前記接続線における前記接続部からの少なくとも一部が前記第一リールに巻き取られ、
前記フレキシブルディスプレイスクリーンが前記ハウジング内に収納された場合、前記フレキシブルディスプレイスクリーン及び前記接続線が、共に前記第一リールに巻き取られることを特徴とするフレキシブルディスプレイ装置。
【請求項２】
前記接続部が前記第一リールに固定されることを特徴とする請求項１に記載のフレキシブルディスプレイ装置。
【請求項３】
前記接続線を巻き取るための第二リールを備え、前記第二リールが前記ハウジング内に位置することを特徴とする請求項２に記載のフレキシブルディスプレイ装置。
【請求項４】
前記ハウジング内に位置する弾性素子をさらに備え、前記弾性素子は、一端が前記第二リールに接続され、他端が前記ハウジングに固定されることを特徴とする請求項３に記載のフレキシブルディスプレイ装置。
【請求項５】
前記弾性素子がスプリングであることを特徴とする請求項４に記載のフレキシブルディスプレイ装置。
【請求項６】
前記接続線がＦＰＣであることを特徴とする請求項４に記載のフレキシブルディスプレイ装置。
【請求項７】
前記接続線における前記第一リールに巻き取られた長さがπｒよりも大きく、ｒが前記第一リールの半径であることを特徴とする請求項１に記載のフレキシブルディスプレイ装置。
【請求項８】
前記弾性素子に、前記弾性素子の変形量を検出するための検出デイバスが設けられ、或いは、前記第一リールに、前記第一リールの回転量を検出するための検出デイバスが設けられ、
前記検出デイバスが、前記変形量または前記回転量に基づいて、前記フレキシブルディスプレイスクリーンの張り出し量を判定することを特徴とする請求項４に記載のフレキシブルディスプレイ装置。
【請求項９】
前記フレキシブルディスプレイスクリーンが巻き出される場合、前記フレキシブルディスプレイスクリーンが前記ハウジングから離れた第一方向へ張り出し、前記第二リールが前記弾性素子の付勢力によって前記第一方向と反対の第二方向へ移動し、前記接続線が前記第二リールの周りに折り曲げられ、ぴんと張られ、
前記フレキシブルディスプレイスクリーンが収納される場合、前記フレキシブルディスプレイスクリーンが前記第一リールに巻き取られ、前記第二方向へ移動し、前記接続線が前記第一リールに巻き取られることを特徴とする請求項４に記載のフレキシブルディスプレイ装置。
【請求項１０】
前記フレキシブルディスプレイスクリーンは、少なくとも一部が前記ハウジング外に設けられることを特徴とする請求項４に記載のフレキシブルディスプレイ装置。
【発明の詳細な説明】
【技術分野】
【０００１】
本発明は、電子技術に関し、特に、フレキシブルディスプレイ装置に関する。
【背景技術】
【０００２】
従来、フレキシブルディスプレイ装置は、フレキシブルディスプレイスクリーンが巻き取られて収納される場合、接続線が、リールにつれて回転するため、切れやすい。
【発明の概要】
【０００３】
本発明は、従来の技術課題の一つを解決するためのものである。このため、本発明は、フレキシブルディスプレイ装置を提供する。
【０００４】
本発明の好適な実施形態に係るフレキシブルディスプレイ装置は、ハウジングと、回路基板と、第一リールと、フレキシブルディスプレイスクリーンと、接続線とを備える。前記回路基板は、前記ハウジング内に収納される。前記第一リールは前記ハウジング内に回転可能に設けられる。前記フレキシブルディスプレイスクリーンは、少なくとも一部が前記ハウジング内に収納される。前記フレキシブルディスプレイスクリーンは、前記第一リールに巻き取られることができる。前記接続線は、前記回路基板と前記フレキシブルディスプレイスクリーンを接続する。前記接続線は、前記第一リールに巻き取られることができる。前記接続線における前記フレキシブルディスプレイスクリーンに接続された部分には、前記接続部が形成される。前記フレキシブルディスプレイスクリーンが前記ハウジング外に完全に巻き出された場合、前記接続線における前記接続部からの少なくとも一部は、前記第一リールに巻き取られる。前記フレキシブルディスプレイスクリーンが前記ハウジング内に収納された場合、前記フレキシブルディスプレイスクリーン及び前記接続線は、共に前記第一リールに巻き取られる。
【０００５】
本発明の好適な実施形態に係るフレキシブルディスプレイ装置は、前記接続線における前記接続部からの一部が常に前記第一リールに巻き取られるため、前記接続部に受けられた力が分散され、それによって、前記接続線が切れにくい。前記接続線は、前記フレキシブルディスプレイスクリーンの張り出しまたは収納の過程において良い接続性を有し、前記フレキシブルディスプレイ装置の信頼性は向上する。
いくつかの実施形態において、前記接続部が前記第一リールに固定される。
【０００６】
いくつかの実施形態において、フレキシブルディスプレイ装置は、前記接続線を巻き取るための第二リールを備え、前記第二リールが前記ハウジング内に位置する。
【０００７】
いくつかの実施形態において、フレキシブルディスプレイ装置は、前記ハウジング内に位置する弾性素子をさらに備え、前記弾性素子は、一端が前記第二リールに接続され、他端が前記ハウジングに固定される。
【０００８】
いくつかの実施形態において、前記弾性素子がスプリングである。
いくつかの実施形態において、前記接続線がＦＰＣである。
いくつかの実施形態において、前記接続線における前記第一リールに巻き取られた長さがπｒよりも大きく、ｒが前記第一リールの半径である。
【０００９】
いくつかの実施形態において、前記弾性素子に、前記弾性素子の変形量を検出するための検出デイバスが設けられ、或いは、前記第一リールに、前記第一リールの回転量を検出するための検出デイバスが設けられ、前記検出デイバスが、前記変形量または前記回転量に基づいて、前記フレキシブルディスプレイスクリーンの張り出し量を判定する。
【００１０】
いくつかの実施形態において、前記フレキシブルディスプレイスクリーンが巻き出される場合、前記フレキシブルディスプレイスクリーンが前記ハウジングから離れた第一方向へ張り出し、前記第二リールが前記弾性素子の付勢力によって前記第一方向と反対の第二方向へ移動し、前記接続線が前記第二リールの周りに折り曲げられ、ぴんと張られる。前記フレキシブルディスプレイスクリーンが収納される場合、前記フレキシブルディスプレイスクリーンが前記第一リールに巻き取られ、前記第二方向へ移動し、前記接続線が前記第一リールに巻き取られる。
【００１１】
いくつかの実施形態において、前記フレキシブルディスプレイスクリーンは、少なくとも一部が前記ハウジング外に設けられる。
本発明の他の態様及び利点は、一部が以下の説明に示され、一部が以下の説明から明らかになり、或いは、本発明の実施からわかる。
【図面の簡単な説明】
【００１２】
図面を参照しながら実施形態を説明すると、本発明の上記及び／又は他の態様及び利点は、明らかになり、且つ、より良く理解される。
【図１】図１は、本発明の実施形態に係るフレキシブルディスプレイ装置の平面図である。
【図２】図２は、本発明の実施形態に係るフレキシブルディスプレイ装置のフレキシブルディスプレイスクリーン及び接続線が完全に巻き出される概略構造図である。
【図３】図３は、本発明の実施形態に係るフレキシブルディスプレイ装置のフレキシブルディスプレイスクリーン及び接続線が完全に収納される概略構造図である。
【図４】図４は、本発明の実施形態に係るフレキシブルディスプレイ装置が巻き出される概略平面図である。
【図５】図５は、本発明の実施形態に係るフレキシブルディスプレイ装置が収納される概略平面図である。
【図６】図６は、本発明の実施形態に係るフレキシブルディスプレイ装置のフレキシブルディスプレイスクリーン及び接続線の概略構造図である。
【発明を実施するための形態】
【００１３】
以下、本発明の実施形態については、詳しく説明する。前記実施形態が図面に示され、且つ、図面全体を通して、同様または類似の参照符号が、同様もしくは類似の素子、または同様もしくは類似の機能を有する素子を表す。以下に図面を参照しながら説明される実施形態は、例示的なものであり、本発明を説明するものに過ぎず、本発明を制限するものと見なされない。
【００１４】
本明細書において、用語「中心」、「縦方向」、「横方向」、「長さ」、「幅」、「厚さ」、「上」、「下」、「前」、「後」、「左」、「右」、「鉛直」、「水平」、「頂」、「底」、「内」、「外」、「時計回り」、「反時計回り」などは、意味した方位または位置関係が図面に示されたものであり、本発明を便利に説明し且つ説明を簡略化するためのものに過ぎず、ある装置または素子が特定の方位を有し、特定の方位で構造され、操作される必要があると意味または示唆しないと理解されたいため、本発明を制限するものと見なされない。また、用語「第一」、「第二」は、説明の目的を達成するためのものであり、相対的な重要性を意味または示唆し、或いは、ある技術特徴の数量を間接的に示唆するものと見なされない。このため、「第一」、「第二」によって限定された特徴は、一つまたは複数の前記特徴を明示的にまたは暗黙的に有することができる。本明細書において、特に明記しない限り、「複数」は、二つまたは二つ以上を意味する。
【００１５】
本明細書において、特に明記しない限り、用語「装着」、「連接」、「接続」は、広義に理解され、例えば、分離不可能な接続、分離可能な接続、一体の接続であってよく、機械的な接続、電気的な接続であってもよく、直接的な接続、中間媒体を介した接続であってもよく、二つの素子の間の連通、または二つの素子の相互作用の関係であってもよいと留意されたい。当業者にとって、本発明において、上記用語の意味は、前後関係から理解される。
【００１６】
本発明において、特に明記しない限り、第一特徴が第二特徴の「上」または「下」に位置するという表現は、第一特徴及び第二特徴が直接接触すると意味してもよく、第一特徴及び第二特徴が直接接触せず、別の特徴を介して接触すると意味してもよい。且つ、第一特徴が第二特徴の「上」、「上方」または「上側」に位置するという表現は、第一特徴が第二特徴の真上または斜め上方に位置すると意味してもよく、或いは、第一特徴の水平レベルが第二特徴の水平レベルよりも高いと意味するに過ぎない。第一特徴が第二特徴の「下」、「下方」または「下側」に位置するという表現は、第一特徴が第二特徴の真下または斜め下方に位置すると意味してもよく、或いは、第一特徴の水平レベルが第二特徴の水平レベルよりも低いと意味するに過ぎない。
【００１７】
以下の説明において、様々な実施形態または実施例が提供され、本発明の異なる構造が実現される。本発明の説明を簡略化するために、以下、特定例の部材及び配置が述べられる。言うまでもなく、これらは、例に過ぎず、本発明を制限すると意図しない。また、本発明は、異なる実施例において、参照番号及び／又は参照文字が繰り返し用いられてもよい。この繰り返しは、簡略化及び明瞭のためのものであり、様々な実施例及び／又は配置の間の関係を意味しない。また、本発明は、様々な特定のプロセス及び材料の例を提供するが、当業者にとって、他のプロセス及び材料の応用を想到することができる。
図面を参照しながら、本発明の実施例については、一層詳しく説明する。
【００１８】
図１〜３を参照すると、本発明の好適な実施形態に係るフレキシブルディスプレイ装置１０は、ハウジング１２と、回路基板１４と、第一リール２０と、フレキシブルディスプレイスクリーン１６と、接続線１８とを備える。回路基板１４は、ハウジング１２内に収納される。第一リール２０はハウジング１２内に回転可能に設けられる。フレキシブルディスプレイスクリーン１６は、少なくとも一部がハウジング１２内に収納される。フレキシブルディスプレイスクリーン１６は、第一リール２０に巻き取られることができる。接続線１８は、回路基板１４とフレキシブルディスプレイスクリーン１６を接続する。接続線１８は、第一リール２０に巻き取られることができる。接続線１８におけるフレキシブルディスプレイスクリーン１６に接続された部分には、接続部２２０が形成される。フレキシブルディスプレイスクリーン１６がハウジング１２外に完全に巻き出された場合、接続線１８における接続部２２０からの少なくとも一部は、第一リール２０に巻き取られる。フレキシブルディスプレイスクリーン１６がハウジング１２内に収納された場合、フレキシブルディスプレイスクリーン１６及び接続線１８は、共に第一リール２０に巻き取られる。
【００１９】
本発明の好適な実施形態に係るフレキシブルディスプレイ装置は、接続線１８における接続部２２０からの一部が常に第一リール２０に巻き取られるため、接続部２２０に受けられた力が分散され、それによって、接続線１８が切れにくい。接続線１８は、フレキシブルディスプレイスクリーン１６の張り出しまたは収納の過程において良い接続性を有し、フレキシブルディスプレイ装置１０の信頼性は向上する。
【００２０】
本実施形態において、第一リール２０は、フレキシブルディスプレイスクリーン１６及び接続線１８を巻き取るためのものである。第一リール２０は、ハウジング１２内に位置する。接続線１８及びフレキシブルディスプレイスクリーン１６は、接続部２２０に折り曲げられる。接続部２２０は円弧状を呈する。接続部２２０は第一リール２０に固定される。接続線１８は、フレキシブルディスプレイスクリーン１６の一端に接続される。フレキシブルディスプレイスクリーン１６の他端は、ハウジング１２外に張り出すことができる。接続線１８とフレキシブルディスプレイスクリーン１６との接続部２２０には、接続線１８及びフレキシブルディスプレイスクリーン１６が折り曲げられる。接続線１８及びフレキシブルディスプレイスクリーン１６は、少なくとも一部が重なり、重畳部２２を形成する。重畳部２２は、第一リール２０周りに弧度を形成し、弧度がπ／２ｒａｄ以上である。重畳部２２は、接続線１８とフレキシブルディスプレイスクリーン１６との接続部２２０に受けられた力を分散する。
【００２１】
このように、接続線１８及びフレキシブルディスプレイスクリーン１６は、滑らずに、第一リール２０に巻き取られることができ、且つ、円弧状の接続部２２０によって、接続線１８が切れにくい。
【００２２】
本実施形態において、フレキシブルディスプレイ装置１０は、接続線１８を巻き取るための第二リール２４を備え、第二リール２４がハウジング１２内に位置する。
【００２３】
このように、接続線１８は、第二リール２４に巻き取られることができ、ハウジング１２内に揺動または湾曲しない。このため、ハウジング１２内の接続線１８が適切且つ有効に配置され、接続線１８の揺動または湾曲による破損が低減され、接続線１８の寿命が向上する。
【００２４】
具体的には、接続線１８の長さが長すぎる場合、ハウジング１２内に、接続線１８を巻き取るための２つまたは複数のリールが設けられることにより、接続線１８は常にぴんと張られてもよい。
【００２５】
本実施形態において、フレキシブルディスプレイ装置１０は、ハウジング１２内に位置する弾性素子２６をさらに備える。弾性素子２６は、一端が第二リール２４に接続され、他端がハウジング１２に固定されて接続され、または装置の特性に応じてハウジング１２内に柔軟に固定される。当該固定箇所によっては、接続線１８が弾性素子２６の付勢力下でフレキシブルディスプレイスクリーン１６と共に巻き出され、または巻き取られて収納されることができればよい。接続線１８は、第一リール２０から張り出し、第二リール２４の周りに折り曲げられる。且つ、接続線１８の末端は、回路基板１４に固定されて接続される。フレキシブルディスプレイスクリーン１６がハウジング１２外へ張り出して巻き出されるとき、第一リール２０に巻き取られた接続線１８も巻き出され、弾性素子２６の伸長が低減され、弾性素子２６は第二リール２４が水平方向に転がるように第二リール２４を引っ張ることにより、接続線１８がぴんと張られ、第二リール２４と第一リール２０との間の距離が向上する。フレキシブルディスプレイスクリーン１６がハウジング１２内へ収納されるとき、第一リール２０に、フレキシブルディスプレイスクリーン１６及び接続線１８が巻き取られ、弾性素子２６の伸長が向上し、第二リール２４との第一リール２０との間の距離が低減される。
【００２６】
このように、弾性素子２６が第二リール２４に接続されることにより、第二リール２４の周りに折り曲げられ且つ回路基板１４に固定されて接続される接続線１８は、常にぴんと張られ、ハウジング１２内に揺動または湾曲しない。このため、ハウジング１２内の接続線１８が適切且つ有効に配置され、接続線１８の揺動または湾曲による破損が低減され、接続線１８の寿命が向上する。第一リール２０に巻き取られた接続線１８は巻き出されるとき、弾性素子２６及び第二リールの２４によって、巻き出される接続線１８が巻き取られてぴんと張られ、巻き出される接続線１８が第一リール２０を係止することが回避される。本実施形態において、弾性素子２６は、スプリングである。
このように、スプリングは、装着が便利で、コストが低く、交換がやすい。
【００２７】
具体的には、第二リール２４は、動滑車に相当するものである。第二リール２４は、弾性素子２６に接続される。接続線１８は、一端が第二リール２４の周りに折り曲げられ、回路基板１４に固定されて接続され、他端がフレキシブルディスプレイスクリーン１６に接続される。フレキシブルディスプレイスクリーン１６がハウジング１２外へ張り出すとき、第二リール２４は、スプリングの引っ張り下で第二方向Ｂへ移動する。フレキシブルディスプレイスクリーン１６がハウジング１２内へ収納されるとき、接続線１８及びフレキシブルディスプレイスクリーン１６が共に第一リール２０に巻き取られ、第二リール２４は、接続線１８の引っ張り下で第一方向Ａへ移動するとともに、スプリングを引っ張る。一つの実施形態としては、図１を参照しながら説明すると、第一リール２０には、第一リール２０を回転させるように弾性素子２６の付勢力よりも強い回復力を印加するねじりバネ（図示せず）が設けられてもよい。例えば、第一方向Ａの外力が印加され、フレキシブルディスプレイスクリーン１６が引っ張られるとき、第一リール２０が時計回り方向に回転し、ねじりバネをねじり、第一方向Ａと反対の第二方向Ｂの回復力が形成され、つまり、第一方向Ａの外力と、この状態での回復力及びと弾性素子２６の付勢力（第二方向Ｂ）とが平衡に達する。当該平衡状態で、第一方向Ａの外力が低減される場合、ねじりバネの回復力及び弾性素子２６の付勢力が、それに応じて、第一方向Ａの外力と平衡を保ち、第一リール２０を反時計回り方向に回転させることにより、フレキシブルディスプレイスクリーン１６及び接続線１８が、力平衡までに、共に第一リール２０に巻き取られる。第一方向Ａの外力が解消される場合、ねじりバネの回復力及び弾性素子２６の付勢力が、フレキシブルディスプレイスクリーンが完全に収納される（一部がハウジング１２から張り出してもよい）までに、第一リール２０を反時計回り方向に回転させる。ねじりバネの回復力が弾性素子２６の付勢力よりも強いため、フレキシブルディスプレイスクリーンが完全に収納される状態で、回復力が弾性素子２６の第二方向Ｂの付勢力と反対の力を形成し、平衡状態に達することにより、接続線１８がぴんと張られる。ねじりバネは、当業者にとって、周知のものであるため、ここで詳しい説明は省略されるが、しかしながら、以上は、原理の説明に過ぎず、本発明を制限するものではなく、当業者がこの原理に基づいて行う変更は、依然として、本発明の範囲に属するものである。
【００２８】
好ましくは、第一リール２０には、位置制限機構が設けられる。例えば、ストッパは、第一リールが回転できないように第一リールを固定することにより、フレキシブルディスプレイスクリーン１６がハウジング１２から任意に張り出す状態で第一リールを固定する。
【００２９】
本実施形態において、接続線１８は、ＦＰＣ（Ｆｌｅｘｉｂｌｅ  Ｐｒｉｎｔｅｄ  Ｃｉｒｃｕｉｔ  Ｂｏａｒｄ、フレキシブルプリント回路基板）である。
このように、接続線１８は、柔軟性が良く、複数回巻き取られることができる。
【００３０】
本実施形態において、接続線１８における第一リール２０に巻き取られた長さは、πｒよりも大きく、ｒが第一リールの半径であり、フレキシブルディスプレイスクリーン１６における接続部２２０からの少なくとも一部が常に第一リール２０に巻き取られる。
【００３１】
このように、接続線１８とフレキシブルディスプレイスクリーン１６との接続部２２０に受けられた力が分散され、接続線１８が接続部２２０に切れにくく、フレキシブルディスプレイスクリーンも接続部２２０に切れにくい。
【００３２】
言うまでもなく、以上の数値は、例として、重畳部２２がどのように接続線１８を切れにくくすると説明することに寄与するためのものに過ぎず、本発明を制限するものではない。
【００３３】
本実施形態において、弾性素子２６には、検出デイバスが設けられる。検出デイバスは、弾性素子２６の変形量を検出することにより、フレキシブルディスプレイスクリーン１６の張り出し量を判定するためのものである。或いは、検出デイバスは、第一リール２０に設けられ、第一リール２０の回転量を検出することにより、フレキシブルディスプレイスクリーン１６の張り出し量を判定する。且つ、検出デイバスは、変形信号を送信し、この変形信号によって、フレキシブルディスプレイスクリーン１６の表示、ヒューマンコンピュータインタラクション内容の変更などを制御する。
【００３４】
このように、検出デイバスは、弾性素子２６の変形量または第一リール２０回転量を検出することにより、フレキシブルディスプレイスクリーン１６の張り出し量を判定する。
【００３５】
図４及び図５を参照すると、本実施形態において、フレキシブルディスプレイスクリーン１６が巻き出される場合、フレキシブルディスプレイスクリーン１６がハウジング１２から離れた第一方向Ａへ張り出し、第二リール２４が弾性素子２６の付勢力によって第一方向Ａと反対の第二方向Ｂへ移動し、接続線１８が第二リール２４の周りに折り曲げられ、ぴんと張られる。フレキシブルディスプレイスクリーン１６が収納される場合、フレキシブルディスプレイスクリーン１６が第一リール２０に巻き取られ、第二方向Ｂへ移動し、接続線１８が第一リール２０に巻き取られる。
【００３６】
このように、弾性素子２６によっては、接続線１８がぴんと張られる。接続線１８は、フレキシブルディスプレイスクリーン１６の張り出しまたは収納の過程において良い接続性を有し、フレキシブルディスプレイ装置１０の信頼性は向上する。
【００３７】
本実施形態において、フレキシブルディスプレイスクリーン１６は、少なくとも一部がハウジング１２外に設けられ、つまり、フレキシブルディスプレイスクリーン１６は、ハウジング１２内に完全に収納される場合、一部がハウジング１２外に位置する。
このように、フレキシブルディスプレイスクリーン１６は、次回ハウジング１２外に巻き出されることができる。
【００３８】
図６を参照すると、具体的には、ハウジング１２が矩形を呈し、基板１４が矩形を呈し、フレキシブルディスプレイスクリーン１６が矩形を呈し、接続線１８が矩形を呈する。ハウジング１２内には、回路基板１４、接続線１８、第一リール２０、第二リール２４及び弾性素子２６が収納される。接続線１８及びフレキシブルディスプレイスクリーン１６が折り曲げられた接続部２２０は、第一リール２０に固定される。接続線１８及びフレキシブルディスプレイスクリーン１６が１８０°で延び、つまり、フレキシブルディスプレイスクリーン１６及び接続線１８が反対する二つの方向へ延びる。第一リール２０は、ハウジング１２の側壁に隣接し、フレキシブルディスプレイスクリーン１６から側壁までの距離が低減される。第二リール２４は、第一リール２０よりもハウジング１２の側壁から離れる。弾性素子２６は、一端がハウジング１２内に固定されて接続され、他端が第二リール２４に接続される。第二リール２４は、弾性素子２６によって水平に転がる。フレキシブルディスプレイスクリーン１６が完全に巻き出されたとき、フレキシブルディスプレイスクリーン１６及び接続線１８は、一部が常に第一リール２０に巻き取られる。第一リール２０は、ハウジング１２内に固定される。第一リール２０には、第一リール２０を回転させるためのドライバーが設けられる。フレキシブルディスプレイスクリーン１６が巻き出されるとき、第一リール２０は、時計回り方向に回転する。フレキシブルディスプレイスクリーン１６が収納されるとき、第一リール２０は、反時計回り方向に回転する。
【００３９】
言うまでもなく、上記の形状、接続は、例として、フレキシブルディスプレイ装置１０の構造の詳細を説明することに寄与するためのものに過ぎず、本発明を制限するものではない。
【００４０】
本明細書において、用語「一つの実施形態」、「いくつかの実施形態」、「実施例」、「特定の例」、または「いくつかの実施例」などの説明は、当該実施形態または実施例と併せて説明された特定の特徴、構造、材料または特性が本発明の少なくとも１つの実施形態または実施例に含まれたと意味する。本明細書において、上記用語についての例示的な表現は、必ずしも同じ実施形態または実施例を指すものではない。また、説明された特定の特徴、構造、材料または特性は、いずれかまたは複数の実施形態または実施例において適切に結合されることが可能である。
【００４１】
以上、本発明の実施例が示され、説明されるが、上記実施例は、例示的なものであり、本発明を制限するものと見なされないと理解されたい。当業者は、本発明の原理や要旨を逸脱しない範囲で上記実施例に対して若干の変更、修正、交換及び変形を行うことが可能である。本発明の範囲は、特許請求の範囲及びその均等物によって制限される。
【図１】
0006373506.tif 000002
【図２】
0006373506.tif 000003
【図３】
0006373506.tif 000004
【図４】
0006373506.tif 000005
【図５】
0006373506.tif 000006
【図６】
0006373506.tif 000007